(57)【要約】【課題】１つの部屋のみを暖房する従来の暖房システムを、より暖房運転効率よく２つの部屋を暖房可能な暖房システムへと、より短期間に、且つより低コストで実現することができる暖房システムを提供する。【解決手段】熱源機３０と、第１部屋に設けられた第１暖房放熱体１４及び運転状態設定手段１１と、第２部屋に設けられた第２暖房放熱体２４と、を備え、第１熱媒流入配管１３と、第２熱媒流入配管２３と、第１熱媒吐出配管１５と、第２熱媒吐出配管２５と、暖房放熱後配管３６と、熱媒混合手段４６と、にて構成される暖房配管経路を備え、第１暖房循環ポンプ４１と、開閉弁１２と、流路切替弁１６と、流路切替弁の切り替え状態を設定可能な流路切替設定手段２１と、が設けられている暖房システム。【選択図】図２
2015083888.tif 000002
【特許請求の範囲】
【請求項１】
暖房熱媒を加熱する熱源機と、
前記熱源機との間で循環する暖房熱媒が流通する暖房配管経路で接続された第１暖房放熱体及び第２暖房放熱体と、
前記第１暖房放熱体の運転状態を利用者が設定可能な運転状態設定手段と、
を備えた暖房システムにおいて、
前記運転状態設定手段及び前記第１暖房放熱体は第１部屋に設置されており、
前記第２暖房放熱体は前記第１部屋とは異なる第２部屋に設置されており、
前記暖房配管経路は、
前記熱源機から吐出された暖房熱媒を前記第１暖房放熱体に流入する第１熱媒流入配管と、
前記第１暖房放熱体から吐出された暖房熱媒を熱媒混合手段に流入する第１熱媒吐出配管と、
前記第１熱媒吐出配管のいずれかの位置から分岐されて暖房熱媒を前記第２暖房放熱体に流入する第２熱媒流入配管と、
前記第２暖房放熱体から吐出された暖房熱媒を前記熱媒混合手段に流入する第２熱媒吐出配管と、
前記熱媒混合手段にて混合されて吐出された暖房熱媒を前記熱源機に流入する暖房放熱後配管と、
前記熱媒混合手段と、
にて構成されており、
前記第１熱媒流入配管のいずれかの位置には、当該第１熱媒流入配管を閉鎖状態あるいは開口状態に切り替え可能な開閉弁が設けられており、
前記熱源機には、暖房熱媒を前記暖房配管経路内で循環させる第１熱媒循環ポンプが設けられており、
前記第１熱媒吐出配管と前記第２熱媒流入配管とが接続されている個所には、前記第１熱媒吐出配管から流入された暖房熱媒を前記第２熱媒流入配管に向けて吐出するように、あるいは前記第１熱媒吐出配管から流入された暖房熱媒を前記熱媒混合手段に向けて吐出するように、切り替え可能な流路切替弁が設けられており、
前記第１部屋あるいは前記第２部屋の少なくとも一方には、利用者から前記流路切替弁の切り替え状態を設定可能な流路切替設定手段が設けられている、
暖房システム。
【請求項２】
請求項１に記載の暖房システムであって、
前記第１熱媒吐出配管における前記第１暖房放熱体と前記流路切替弁の間のいずれかの位置には、第１温度検出手段が設けられており、
前記流路切替設定手段から前記流路切替弁を制御する経路中には、前記流路切替設定手段からの制御信号が入力されて、前記流路切替弁への制御信号を出力する流路切替制御手段が設けられており、
前記流路切替制御手段は、前記流路切替設定手段からの制御信号と、前記第１温度検出手段にて検出された暖房熱媒の温度と、に基づいて前記流路切替弁を制御する、
暖房システム。
【請求項３】
請求項１に記載の暖房システムであって、
前記第１熱媒流入配管における前記開閉弁から前記第１暖房放熱体に至るいずれかの位置には、第２温度検出手段が設けられており、
前記流路切替設定手段から前記流路切替弁を制御する経路中には、前記流路切替設定手段からの制御信号が入力されて、前記流路切替弁への制御信号を出力する流路切替制御手段が設けられており、
前記流路切替制御手段は、前記流路切替設定手段からの制御信号と、前記第２温度検出手段にて検出された暖房熱媒の温度と、に基づいて前記流路切替弁を制御する、
暖房システム。
【請求項４】
請求項１に記載の暖房システムであって、
外気の温度を検出可能な第３温度検出手段を備え、
前記流路切替設定手段から前記流路切替弁を制御する経路中には、前記流路切替設定手段からの制御信号が入力されて、前記流路切替弁への制御信号を出力する流路切替制御手段が設けられており、
前記流路切替制御手段は、前記流路切替設定手段からの制御信号と、前記第３温度検出手段にて検出された外気温度と、に基づいて前記流路切替弁を制御する、
暖房システム。
【請求項５】
請求項１に記載の暖房システムであって、
前記流路切替設定手段から前記流路切替弁を制御する経路中には、前記流路切替設定手段からの制御信号が入力されて、前記流路切替弁への制御信号を出力する流路切替制御手段が設けられており、
前記熱源機は、前記運転状態設定手段との間で通信情報を送受信可能な熱源機制御手段を有しており、
前記流路切替制御手段は、前記熱源機制御手段と前記運転状態制御手段との通信情報の送受信を中継するように設けられており、
前記熱源機制御手段は、前記流路切替制御手段を介して前記運転状態設定手段から受信した通信情報に基づいて、前記開閉弁と前記第１熱媒循環ポンプとを制御し、
前記流路切替制御手段は、前記流路切替設定手段からの制御信号と、中継した通信情報と、に基づいて前記流路切替弁を制御する、
暖房システム。
【請求項６】
請求項２〜４のいずれか一項に記載の暖房システムであって、
前記熱源機は、前記運転状態設定手段との間で通信情報を送受信可能な熱源機制御手段を有しており、
前記流路切替制御手段は、前記熱源機制御手段と前記運転状態制御手段との通信情報の送受信を中継するように設けられており、
前記熱源機制御手段は、前記流路切替制御手段を介して前記運転状態設定手段から受信した通信情報に基づいて、前記開閉弁と前記第１熱媒循環ポンプとを制御し、
前記流路切替制御手段は、前記流路切替設定手段からの制御信号と、中継した通信情報と、検出した暖房熱媒の温度または外気温度と、に基づいて前記流路切替弁を制御する、
暖房システム。
【請求項７】
請求項１に記載の暖房システムであって、
前記暖房放熱後配管あるいは前記第１熱媒流入配管のいずれかの位置に、前記第１熱媒循環ポンプに加えて暖房熱媒を循環させる第２熱媒循環ポンプが設けられ、
前記流路切替設定手段から前記流路切替弁を制御する経路中には、前記流路切替設定手段からの制御信号と前記開閉弁の動作状態を検出可能な開閉弁信号とが入力され、入力された前記流路切替設定手段からの制御信号と前記開閉弁信号とに基づいて前記流路切替弁への制御信号と前記第２熱媒循環ポンプへの制御信号を出力する流路切替制御手段が設けられている、
あるいは、
前記暖房放熱後配管のいずれかの位置と前記第１熱媒流入配管における前記熱源機から前記開閉弁に至るいずれかの位置とに接続された熱媒バイパス配管を備え、前記熱媒バイパス配管には、前記暖房放熱後配管からの暖房熱媒の少なくとも一部を前記第１熱媒流入配管に導くことが可能な第３熱媒循環ポンプが設けられ、
前記流路切替設定手段から前記流路切替弁を制御する経路中には、前記流路切替設定手段からの制御信号と前記開閉弁の動作状態を検出可能な開閉弁信号とが入力され、入力された前記流路切替設定手段からの制御信号と前記開閉弁信号とに基づいて前記流路切替弁への制御信号と前記第３熱媒循環ポンプへの制御信号を出力する流路切替制御手段が設けられている、
暖房システム。
【請求項８】
請求項２〜４のいずれか一項に記載の暖房システムであって、
前記暖房放熱後配管あるいは前記第１熱媒流入配管のいずれかの位置に、前記第１熱媒循環ポンプに加えて暖房熱媒を循環させる第２熱媒循環ポンプが設けられ、
前記流路切替制御手段には前記開閉弁の動作状態を検出可能な開閉弁信号が入力され、
前記流路切替制御手段は、前記流路切替設定手段からの制御信号と前記開閉弁信号とに基づいて前記第２熱媒循環ポンプへの制御信号を出力する、
あるいは、
前記暖房放熱後配管のいずれかの位置と前記第１熱媒流入配管における前記熱源機から前記開閉弁に至るいずれかの位置とに接続された熱媒バイパス配管を備え、前記熱媒バイパス配管には、前記暖房放熱後配管からの暖房熱媒の少なくとも一部を前記第１熱媒流入配管に導くことが可能な第３熱媒循環ポンプが設けられ、
前記流路切替制御手段には前記開閉弁の動作状態を検出可能な開閉弁信号が入力され、
前記流路切替制御手段は、前記流路切替設定手段からの制御信号と前記開閉弁信号とに基づいて前記第３熱媒循環ポンプへの制御信号を出力する、
暖房システム。
【請求項９】
請求項５または６に記載の暖房システムであって、
前記暖房放熱後配管あるいは前記第１熱媒流入配管のいずれかの位置に、前記第１熱媒循環ポンプに加えて暖房熱媒を循環させる第２熱媒循環ポンプが設けられ、
前記流路切替制御手段は、前記流路切替設定手段からの制御信号と前記通信情報に基づいて前記第２熱媒循環ポンプへの制御信号を出力する、
あるいは、
前記暖房放熱後配管のいずれかの位置と前記第１熱媒流入配管における前記熱源機から前記開閉弁に至るいずれかの位置とに接続された熱媒バイパス配管を備え、前記熱媒バイパス配管には、前記暖房放熱後配管からの暖房熱媒の少なくとも一部を前記第１熱媒流入配管に導くことが可能な第３熱媒循環ポンプが設けられ、
前記流路切替制御手段は、前記流路切替設定手段からの制御信号と前記通信情報に基づいて前記第３熱媒循環ポンプへの制御信号を出力する、
暖房システム。
【発明の詳細な説明】
【技術分野】
【０００１】
本発明は、暖房システムに関する。
【背景技術】
【０００２】
従来、特許文献１には、燃焼熱源機や電気ヒートポンプ等を熱源機として暖房熱媒を加熱し、一方の暖房放熱体（この場合、部屋の中央部の床暖房パネル）に流通させた後の暖房熱媒を、他方の暖房放熱体（この場合、部屋の周辺部の床暖房パネル）に流通させることで部屋内の暖房を快適に行う床暖房設備（暖房システムに相当）が開示されている。
特許文献１では、図１２に示すように、第１部屋１１０の中央部に敷設された第１暖房放熱体１１４と、第１部屋１１０の周辺部に敷設された第２暖房放熱体１２４と、を有している。
そして第１暖房放熱体１１４には、熱源機１３０にて加熱された暖房熱媒を流入させるための第１熱媒流入配管１１３の一方端が接続され、放熱後の暖房熱媒を吐出させるための第１熱媒吐出配管１１５の一方端が接続されている。
また第２暖房放熱体１２４には、暖房熱媒を流入させるための第２熱媒流入配管１２３の一方端が接続され、放熱後の暖房熱媒を吐出させるための第２熱媒吐出配管１２５の一方端が接続されている。
そして第１熱媒吐出配管１１５の他方端は熱媒混合手段１４６に接続され、第２熱媒吐出配管１２５の他方端は熱媒混合手段１４６に接続されている。
また熱媒混合手段１４６からの出力である暖房放熱後配管１３６は熱源機１３０に接続され、第１熱媒流入配管１１３の他方端は熱源機１３０に接続されている。
また第１熱媒吐出配管１１５のいずれかの位置には流路切替弁１１６が設けられており、第２熱媒流入配管１２３の他方端は流路切替弁１１６に接続されている。流路切替弁１１６は、第１熱媒吐出配管１１５から流入する暖房熱媒を、熱媒混合手段１４６に向けて吐出するか、第２熱媒流入配管１２３に向けて吐出するか、のいずれかに流路を切り替える。
また第１熱媒流入配管１１３のいずれかの位置には流路開閉弁１１２が設けられている。
また熱媒循環ポンプ１４１が、熱源機１３０に設けられている。
【０００３】
熱源機制御手段１３１は、熱媒循環ポンプ１４１を駆動することで暖房熱媒を循環させ、流路開閉弁１１２を開状態に制御することで第１暖房放熱体１１４へ暖房熱媒を流入させる。また熱源機制御手段１３１は、流路切替弁１１６を制御することで、第１暖房放熱体１１４にて放熱後の暖房熱媒を、熱媒混合手段１４６を経由させて熱源機１３０に戻すか、あるいは第２暖房放熱体１２４に流入させて放熱させた後で熱媒混合手段１４６を経由させて熱源機１３０に戻すか、いずれかの経路にすることが可能である。
すなわち、図１２に示す特許文献１の構成では、第１暖房放熱体１１４のみを暖房運転すること、または第１暖房放熱体１１４と第２暖房放熱体１２４を直列に暖房運転すること、の２通りの暖房運転が可能である。
【先行技術文献】
【特許文献】
【０００４】
【特許文献１】特許第４０６３７５６号公報
【発明の概要】
【発明が解決しようとする課題】
【０００５】
図１２に示す特許文献１に記載された暖房システムでは、暖房熱媒は第１部屋１１０の中央部に敷設された第１暖房放熱体１１４にて放熱した後で熱源機１３０に戻される場合が有るが、近年の高気密高断熱住宅では、それ以前の住宅と比較して第１部屋１１０の暖房負荷が小さくなるため、暖房熱媒が放熱後に熱源機１３０に戻る際の暖房熱媒の温度が高くなる傾向にある。この結果、熱源機１３０の加熱による暖房熱媒の温度上昇及び熱源機１３０の出力が小さくなり、熱源機１３０の暖房運転効率が低下する傾向にある。
また、暖房熱媒の放熱後温度が従来よりも高くなると、保有熱によって別の部屋の暖房をすることで効率的な熱利用が可能となるが、特許文献１では、別の部屋の暖房までは行っていない。
例えば、特許文献１に記載の暖房システムの第２暖房放熱体（図１２中の第２暖房放熱体１２４）を、第１部屋１１０の周辺部ではなく、図１３の例に示すように第２部屋１２０の中央部に敷設することで、効率的な熱利用が可能となる。
【０００６】
ここで、図１に、第１部屋１０のみに第１暖房放熱体１４が設けられた、従来の暖房システム１００の例を示す。
熱源機３０の吐出口には第１熱媒流入配管１３の一方端が接続され、第１暖房放熱体１４の流入口には第１熱媒流入配管１３の他方端が接続されている。また、第１暖房放熱体１４の吐出口には第１熱媒吐出配管１５の一方端が接続され、第１熱媒吐出配管１５の他方端は熱源機３０の流入口に接続されている。そして第１熱媒流入配管１３のいずれかの位置には、第１熱媒流入配管１３を開口状態または閉鎖状態とすることが可能な開閉弁１２が設けられており、熱源機３０内には第１熱媒循環ポンプ４１が設けられている。また熱源機３０には、熱源機制御手段３１が設けられており、第１暖房放熱体１４が設けられた部屋１０には、利用者が暖房運転の状態を設定可能な運転状態設定手段１１が設けられている。そして熱源機制御手段３１と運転状態設定手段１１とは無線あるいは有線（通信線Ｔ１）にて通信可能に接続されている。
そして熱源機制御手段３１は、運転状態設定手段１１から受信した通信情報（利用者からの暖房運転の開始と暖房レベル等の指示）に基づいて、熱源機３０を動作させて暖房熱媒を加熱し、第１熱媒循環ポンプ４１を制御して暖房熱媒を循環させ、開閉弁１２を開口状態に制御して第１暖房放熱体１４に暖房熱媒を流入させる。
【０００７】
例えば、この図１の例に示す従来の暖房システム１００の構成を、図１３の例に示す暖房システム１０２の構成に改造すると、暖房運転効率をより向上させながら２つの部屋を暖房することができる。しかし、この改造には、第２暖房放熱体１２４と第２熱媒流入配管１２３と第２熱媒吐出配管１２５と流路切替弁１１６と熱媒混合手段１４６とを追加するだけでなく、熱源機制御手段１３１と運転状態設定手段１１１の改造が必要となる。
熱源機制御手段１３１の改造は、利用者からの第１部屋１１０のみの暖房要求指示、または第１部屋１１０と第２部屋１２０の暖房要求指示、に基づいて流路切替弁１１６を制御するために必要である。
運転状態設定手段１１１の改造は、利用者からの第１部屋１１０のみの暖房要求指示、または第１部屋１１０と第２部屋１２０の暖房要求指示、を可能とするために必要である。
しかし、熱源機制御手段１３１の改造及び運転状態設定手段１１１の改造は、開発期間と開発コストが必要であり、これらを回収できる製造台数まで達しない場合には、開発期間と開発コストが無駄になってしまう。
本発明は、このような点に鑑みて創案されたものであり、１つの部屋のみを暖房する従来の暖房システムを、より暖房運転効率よく２つの部屋を暖房可能な暖房システムへと、より短期間に、且つより低コストで実現することができる暖房システムを提供することを課題とする。
【課題を解決するための手段】
【０００８】
上記課題を解決するため、本発明に係る暖房システムは次の手段をとる。
まず、本発明の第１の発明は、暖房熱媒を加熱する熱源機と、前記熱源機との間で循環する暖房熱媒が流通する暖房配管経路で接続された第１暖房放熱体及び第２暖房放熱体と、前記第１暖房放熱体の運転状態を利用者が設定可能な運転状態設定手段と、を備えた暖房システムにおいて、前記運転状態設定手段及び前記第１暖房放熱体は第１部屋に設置されており、前記第２暖房放熱体は前記第１部屋とは異なる第２部屋に設置されている。
前記暖房配管経路は、前記熱源機から吐出された暖房熱媒を前記第１暖房放熱体に流入する第１熱媒流入配管と、前記第１暖房放熱体から吐出された暖房熱媒を熱媒混合手段に流入する第１熱媒吐出配管と、前記第１熱媒吐出配管のいずれかの位置から分岐されて暖房熱媒を前記第２暖房放熱体に流入する第２熱媒流入配管と、前記第２暖房放熱体から吐出された暖房熱媒を前記熱媒混合手段に流入する第２熱媒吐出配管と、前記熱媒混合手段にて混合されて吐出された暖房熱媒を前記熱源機に流入する暖房放熱後配管と、前記熱媒混合手段と、にて構成されている。
そして、前記第１熱媒流入配管のいずれかの位置には、当該第１熱媒流入配管を閉鎖状態あるいは開口状態に切り替え可能な開閉弁が設けられており、前記熱源機には、暖房熱媒を前記暖房配管経路内で循環させる第１熱媒循環ポンプが設けられており、前記第１熱媒吐出配管と前記第２熱媒流入配管とが接続されている個所には、前記第１熱媒吐出配管から流入された暖房熱媒を前記第２熱媒流入配管に向けて吐出するように、あるいは前記第１熱媒吐出配管から流入された暖房熱媒を前記熱媒混合手段に向けて吐出するように、切り替え可能な流路切替弁が設けられており、前記第１部屋あるいは前記第２部屋の少なくとも一方には、利用者から前記流路切替弁の切り替え状態を設定可能な流路切替設定手段が設けられている、暖房システムである。
【０００９】
この第１の発明では、利用者は、第１部屋の暖房運転時に第２部屋の暖房運転を行うか否かを切り替えるための流路切替弁の制御を、流路切替設定手段から行うことができる。
例えば図１の例に示した１つの部屋のみを暖房する従来の暖房システムを、図２の例に示した２つの部屋を効率よく暖房する暖房システムへと変更する際、新たに追加した流路切替弁の制御を、新たに追加した流路切替制御手段から行うので、既存の制御手段から流路切替弁を制御しなくてもよい。従って、１つの部屋のみを暖房する従来の暖房システムを、より暖房運転効率よく２つの部屋を暖房可能な暖房システムへと改造（変更）する際、既存の制御手段を変更する必要がないので、より短期間に、且つより低コストで実現することができる。
また第１の発明の構成を有することで、第１部屋と第２部屋に対して以下の２通りの暖房運転を行うことが可能となる。
（１）第１部屋（第１暖房放熱体）のみの暖房運転。
（２）第１部屋（第１暖房放熱体）と第２部屋（第２暖房放熱体）を、熱源機に対して直列に接続した暖房運転。
上記の（２）の暖房運転が可能となることで、熱源機の暖房運転効率をより向上させることができる。
【００１０】
次に、本発明の第２の発明は、上記第１の発明に係る暖房システムであって、前記第１熱媒吐出配管における前記第１暖房放熱体と前記流路切替弁の間のいずれかの位置には、第１温度検出手段が設けられており、前記流路切替設定手段から前記流路切替弁を制御する経路中には、前記流路切替設定手段からの制御信号が入力されて、前記流路切替弁への制御信号を出力する流路切替制御手段が設けられており、前記流路切替制御手段は、前記流路切替設定手段からの制御信号と、前記第１温度検出手段にて検出された暖房熱媒の温度と、に基づいて前記流路切替弁を制御する。
【００１１】
この第２の発明によれば、流路切替制御手段にて、流路切替設定手段からの制御信号と、第１温度検出手段にて検出した暖房熱媒の温度と、に基づいて、第１部屋のみの暖房運転を行うべきか、第１部屋と第２部屋を直列に暖房運転するべきか、を適切に判断させて、流路切替弁を適切に制御させることができる。
【００１２】
次に、本発明の第３の発明は、上記第１の発明に係る暖房システムであって、前記第１熱媒流入配管における前記開閉弁から前記第１暖房放熱体に至るいずれかの位置には、第２温度検出手段が設けられており、前記流路切替設定手段から前記流路切替弁を制御する経路中には、前記流路切替設定手段からの制御信号が入力されて、前記流路切替弁への制御信号を出力する流路切替制御手段が設けられており、前記流路切替制御手段は、前記流路切替設定手段からの制御信号と、前記第２温度検出手段にて検出された暖房熱媒の温度と、に基づいて前記流路切替弁を制御する。
【００１３】
この第３の発明によれば、流路切替制御手段にて、流路切替設定手段からの制御信号と、第２温度検出手段にて検出した暖房熱媒の温度と、に基づいて、第１部屋のみの暖房運転を行うべきか、第１部屋と第２部屋を直列に暖房運転するべきか、を適切に判断させて、流路切替弁を適切に制御させることができる。
【００１４】
次に、本発明の第４の発明は、上記第１の発明に係る暖房システムであって、外気の温度を検出可能な第３温度検出手段を備え、前記流路切替設定手段から前記流路切替弁を制御する経路中には、前記流路切替設定手段からの制御信号が入力されて、前記流路切替弁への制御信号を出力する流路切替制御手段が設けられており、前記流路切替制御手段は、前記流路切替設定手段からの制御信号と、前記第３温度検出手段にて検出された外気温度と、に基づいて前記流路切替弁を制御する。
【００１５】
この第４の発明によれば、流路切替制御手段にて、流路切替設定手段からの制御信号と、第３温度検出手段にて検出した外気の温度と、に基づいて、第１部屋のみの暖房運転を行うべきか、第１部屋と第２部屋を直列に暖房運転するべきか、外気温に応じた凍結防止運転を行うべきか否か等、を適切に判断させて、流路切替弁を適切に制御させることができる。
【００１６】
次に、本発明の第５の発明は、上記第１の発明に係る暖房システムであって、前記流路切替設定手段から前記流路切替弁を制御する経路中には、前記流路切替設定手段からの制御信号が入力されて、前記流路切替弁への制御信号を出力する流路切替制御手段が設けられており、前記熱源機は、前記運転状態設定手段との間で通信情報を送受信可能な熱源機制御手段を有しており、前記流路切替制御手段は、前記熱源機制御手段と前記運転状態制御手段との通信情報の送受信を中継するように設けられている。
そして前記熱源機制御手段は、前記流路切替制御手段を介して前記運転状態設定手段から受信した通信情報に基づいて、前記開閉弁と前記第１熱媒循環ポンプとを制御し、前記流路切替制御手段は、前記流路切替設定手段からの制御信号と、中継した通信情報と、に基づいて前記流路切替弁を制御する。
【００１７】
この第５の発明によれば、通信の中継を行う流路切替制御手段を備えることで、運転状態設定手段からの通信情報と、熱源機制御手段からの通信情報と、流路切替設定手段からの制御信号と、に基づいて、流路切替制御手段から流路切替弁を、より適切に制御することができる。
【００１８】
次に、本発明の第６の発明は、上記第２の発明〜第４の発明のいずれか１つに係る暖房システムであって、前記熱源機は、前記運転状態設定手段との間で通信情報を送受信可能な熱源機制御手段を有しており、前記流路切替制御手段は、前記熱源機制御手段と前記運転状態制御手段との通信情報の送受信を中継するように設けられている。
そして前記熱源機制御手段は、前記流路切替制御手段を介して前記運転状態設定手段から受信した通信情報に基づいて、前記開閉弁と前記第１熱媒循環ポンプとを制御し、前記流路切替制御手段は、前記流路切替設定手段からの制御信号と、中継した通信情報と、検出した暖房熱媒の温度または外気温度と、に基づいて前記流路切替弁を制御する。
【００１９】
この第６の発明によれば、通信の中継を行う流路切替制御手段を備えることで、運転状態設定手段からの通信情報と、熱源機制御手段からの通信情報と、流路切替設定手段からの制御信号と、検出した暖房熱媒の温度または外気温度と、に基づいて、流路切替制御手段から流路切替弁を、より適切に制御することができる。
【００２０】
次に、本発明の第７の発明は、上記第１の発明に係る暖房システムであって、前記暖房放熱後配管あるいは前記第１熱媒流入配管のいずれかの位置に、前記第１熱媒循環ポンプに加えて暖房熱媒を循環させる第２熱媒循環ポンプが設けられ、前記流路切替設定手段から前記流路切替弁を制御する経路中には、前記流路切替設定手段からの制御信号と前記開閉弁の動作状態を検出可能な開閉弁信号とが入力され、入力された前記流路切替設定手段からの制御信号と前記開閉弁信号とに基づいて前記流路切替弁への制御信号と前記第２熱媒循環ポンプへの制御信号を出力する流路切替制御手段が設けられている。
あるいは、前記暖房放熱後配管のいずれかの位置と前記第１熱媒流入配管における前記熱源機から前記開閉弁に至るいずれかの位置とに接続された熱媒バイパス配管を備え、前記熱媒バイパス配管には、前記暖房放熱後配管からの暖房熱媒の少なくとも一部を前記第１熱媒流入配管に導くことが可能な第３熱媒循環ポンプが設けられ、前記流路切替設定手段から前記流路切替弁を制御する経路中には、前記流路切替設定手段からの制御信号と前記開閉弁の動作状態を検出可能な開閉弁信号とが入力され、入力された前記流路切替設定手段からの制御信号と前記開閉弁信号とに基づいて前記流路切替弁への制御信号と前記第３熱媒循環ポンプへの制御信号を出力する流路切替制御手段が設けられている。
【００２１】
この第７の発明によれば、例えば第１部屋と第２部屋を、熱源機に対して直列に接続した場合において、暖房熱媒の循環経路が長くなって第１熱媒循環ポンプの能力では能力不足となるような場合、第２熱媒循環ポンプあるいは第３熱媒循環ポンプを第１暖房循環ポンプと同時に使用することで、第１暖房循環ポンプの能力を補うことができる。
また流路切替設定手段からの制御信号と開閉弁の動作状態を検出可能な開閉弁信号とが入力されて入力された流路切替設定手段からの制御信号と開閉弁信号とに基づいて流路切替弁への制御信号と第２熱媒循環ポンプ（あるいは第３熱媒循環ポンプ）への制御信号を出力する流路切替制御手段を設けることで、適切に流路切替弁と第２熱媒循環ポンプ（あるいは第３熱媒循環ポンプ）を制御することができる。
【００２２】
次に、本発明の第８の発明は、上記第２の発明〜第４の発明のいずれか１つに係る暖房システムであって、前記暖房放熱後配管あるいは前記第１熱媒流入配管のいずれかの位置に、前記第１熱媒循環ポンプに加えて暖房熱媒を循環させる第２熱媒循環ポンプが設けられ、前記流路切替制御手段には前記開閉弁の動作状態を検出可能な開閉弁信号が入力され、前記流路切替制御手段は、前記流路切替設定手段からの制御信号と前記開閉弁信号とに基づいて前記第２熱媒循環ポンプへの制御信号を出力する。
あるいは、前記暖房放熱後配管のいずれかの位置と前記第１熱媒流入配管における前記熱源機から前記開閉弁に至るいずれかの位置とに接続された熱媒バイパス配管を備え、前記熱媒バイパス配管には、前記暖房放熱後配管からの暖房熱媒の少なくとも一部を前記第１熱媒流入配管に導くことが可能な第３熱媒循環ポンプが設けられ、前記流路切替制御手段には前記開閉弁の動作状態を検出可能な開閉弁信号が入力され、前記流路切替制御手段は、前記流路切替設定手段からの制御信号と前記開閉弁信号とに基づいて前記第３熱媒循環ポンプへの制御信号を出力する。
【００２３】
この第８の発明によれば、既に備えている流路切替制御手段に、開閉弁の動作状態を検出可能な開閉弁信号の入力と、第２熱媒循環ポンプ（あるいは第３熱媒循環ポンプ）への制御信号の出力と、を追加する。
これにより、既に備えている流路切替制御手段を有効利用して、第１熱媒循環ポンプの能力では能力不足となるような場合、第２熱媒循環ポンプ（あるいは第３熱媒循環ポンプ）を第１暖房循環ポンプと同時に使用することで、第１暖房循環ポンプの能力を補うことができる。
【００２４】
次に、本発明の第９の発明は、上記第５の発明または第６の発明に係る暖房システムであって、前記暖房放熱後配管あるいは前記第１熱媒流入配管のいずれかの位置に、前記第１熱媒循環ポンプに加えて暖房熱媒を循環させる第２熱媒循環ポンプが設けられ、前記流路切替制御手段は、前記流路切替設定手段からの制御信号と前記通信情報に基づいて前記第２熱媒循環ポンプへの制御信号を出力する。
あるいは、前記暖房放熱後配管のいずれかの位置と前記第１熱媒流入配管における前記熱源機から前記開閉弁に至るいずれかの位置とに接続された熱媒バイパス配管を備え、前記熱媒バイパス配管には、前記暖房放熱後配管からの暖房熱媒の少なくとも一部を前記第１熱媒流入配管に導くことが可能な第３熱媒循環ポンプが設けられ、前記流路切替制御手段は、前記流路切替設定手段からの制御信号と前記通信情報に基づいて前記第３熱媒循環ポンプへの制御信号を出力する。
【００２５】
この第９の発明によれば、既に備えている流路切替制御手段に、第２熱媒循環ポンプ（あるいは第３熱媒循環ポンプ）への制御信号の出力を追加する（通信情報から開閉弁の動作状態等を検出するので、開閉弁信号の入力は不要）。
これにより、既に備えている流路切替制御手段を有効利用して、第１熱媒循環ポンプの能力では能力不足となるような場合、第２熱媒循環ポンプ（あるいは第３熱媒循環ポンプ）を第１暖房循環ポンプと同時に使用することで、第１暖房循環ポンプの能力を補うことができる。
【図面の簡単な説明】
【００２６】
【図１】１つの部屋のみを暖房する従来の暖房システムの例を説明する図である。
【図２】第１の実施の形態の暖房システム１Ａの構成の例を説明する図である。
【図３】第２の実施の形態の暖房システム１Ｂの構成の例を説明する図である。
【図４】第３の実施の形態の暖房システム１Ｃの構成の例を説明する図である。
【図５】第４の実施の形態の暖房システム１Ｄの構成の例を説明する図である。
【図６】第５の実施の形態の暖房システム１Ｅの構成の例を説明する図である。
【図７】第６の実施の形態の暖房システム１Ｆの構成の例を説明する図である。
【図８】第７の実施の形態の暖房システム１Ｇの構成の例を説明する図である。
【図９】第８の実施の形態の暖房システム１Ｈの構成の例を説明する図である。
【図１０】第９の実施の形態の暖房システム１Ｊの構成の例を説明する図である。
【図１１】第１０の実施の形態の暖房システム１Ｋの構成の例を説明する図である。
【図１２】従来の暖房システム１０１の構成の例を説明する図である。
【図１３】図１２に示す従来の暖房システム１０１を２つの異なる部屋に応用した暖房システム１０２の構成の例を説明する図である。
【発明を実施するための形態】
【００２７】
以下に本発明を実施するための形態を図面を用いて説明する。
●［第１の実施の形態の暖房システム１Ａ（図２）と、１つの部屋のみを暖房する従来の暖房システム１００（図１）］
まず図１を用いて、１つの部屋のみを暖房する従来の暖房システム１００の構成等について説明する。
［１つの部屋のみを暖房する従来の暖房システム１００の構成（図１）］
図１に示す従来の暖房システム１００は、熱源機３０と、第１部屋１０に設けられた第１暖房放熱体１４と、運転状態設定手段１１と、第１熱媒流入配管１３と、第１熱媒吐出配管１５と、開閉弁１２等にて構成されている。
【００２８】
熱源機３０は、熱源機制御手段３１（熱源機制御装置）と、燃焼加熱手段３２（燃焼加熱器）と、燃焼熱交換器３３と、第１熱媒循環ポンプ４１等を有している。
また熱源機３０には、燃料配管３７、第１熱媒流入配管１３、第１熱媒吐出配管１５が接続されている。
燃焼加熱手段３２は、熱源機制御手段３１からの制御信号に基づいて、燃料配管３７から供給されるガス等の燃料を燃焼させる。
また燃焼熱交換器３３は、燃焼加熱手段３２の熱を用いて、第１熱媒吐出配管１５から流入される暖房熱媒（例えば温水）を加熱する。
また第１熱媒循環ポンプ４１は、熱源機制御手段３１からの制御信号に基づいて、第１熱媒吐出配管１５から暖房熱媒を熱源機３０に流入させ、燃焼熱交換器３３にて加熱した暖房熱媒を第１熱媒流入配管１３から吐出するように、暖房熱媒を暖房配管経路内で循環させる。
【００２９】
第１部屋１０は、リビング、ダイニング、キッチン、サニタリ、脱衣室、寝室、子供部屋等の暖房対象空間であり、床暖房等の第１暖房放熱体１４が設けられている。
また第１部屋１０には、第１暖房放熱体１４の運転状態を利用者が設定可能な運転状態設定手段１１（暖房コントローラ）が設けられている。
また熱源機制御手段３１は、無線あるいは有線（通信線Ｔ１）にて運転状態設定手段１１と通信可能に接続されており、運転状態設定手段１１との間で通信情報の送受信が可能である。
暖房配管経路は、第１熱媒流入配管１３と第１熱媒吐出配管１５にて構成されている。
第１熱媒流入配管１３は、熱源機３０の吐出口と、第１暖房放熱体１４の流入口と、に接続され、熱源機３０から吐出された暖房熱媒を第１暖房放熱体１４に流入する。
第１熱媒吐出配管１５は、第１暖房放熱体１４の吐出口と、熱源機３０の流入口と、に接続され、第１暖房放熱体１４から吐出された暖房熱媒を熱源機３０に流入する。
また、第１熱媒流入配管１３のいずれかの位置には、第１熱媒流入配管１３を閉鎖状態または開口状態に切り替え可能な開閉弁１２が設けられている。
なお、開閉弁１２は、開状態または閉状態に制御されるバルブ、あるいはデューティ比で開度量が制御されるバルブであり、熱源機制御手段３１からの制御信号に基づいて制御される。
【００３０】
以上の構成により、利用者が運転状態設定手段１１から第１暖房放熱体１４の暖房運転の開始と暖房レベル（強、中、弱や、暖房温度等）を入力（指示）すると、当該入力に基づいた通信情報が、運転状態設定手段１１から熱源機制御手段３１に送信される。
熱源機制御手段３１は、受信した通信情報に基づいて、第１暖房放熱体１４の暖房の開始要求と暖房レベルを認識し、熱源機３０を起動して暖房熱媒を加熱し、第１熱媒循環ポンプ４１を起動して暖房熱媒の循環を開始し、開閉弁１２を開状態に制御する。
【００３１】
●［第１の実施の形態の暖房システム１Ａ（図２）］
図２に示す第１の実施の形態の暖房システム１Ａは、図１に示す従来の暖房システム１００（第１部屋１０のみを暖房）に対して、第２部屋２０の暖房も可能とするとともに、熱源機３０の暖房運転効率をより向上させることを目的とした暖房システムである。
暖房システム１Ａは、第１部屋１０（第１暖房放熱体１４）のみの暖房運転に加えて、第１部屋１０（第１暖房放熱体１４）と第２部屋２０（第２暖房放熱体２４）を熱源機３０に対して直列に接続した暖房運転を行うことができる。しかも、図１に示す従来の暖房システム１００に対して、熱源機制御手段３１と運転状態設定手段１１を変更する必要が無い（熱源機３０も変更する必要が無い）ので、より短期間に、より低コストで実現することができる。
以下、図１に示す従来の暖房システム１００との相違点について主に説明する。
【００３２】
図２に示す暖房システム１Ａでは、図１に示す暖房システム１００に対して、第２暖房放熱体２４、第２熱媒流入配管２３、第２熱媒吐出配管２５、流路切替弁１６、熱媒混合手段４６、暖房放熱後配管３６、流路切替設定手段２１、が追加されている。
第２暖房放熱体２４は、床暖房等であり、第１部屋１０とは異なる第２部屋２０に設置されており、第２部屋２０は、リビング、ダイニング、キッチン、サニタリ、脱衣室、寝室、子供部屋等の暖房対象空間である。
【００３３】
第１熱媒吐出配管１５は、第１暖房放熱体１４の吐出口と、熱媒混合手段４６の流入口と、に接続され、第１暖房放熱体１４から吐出された暖房熱媒を、熱媒混合手段４６または第２熱媒流入配管２３へと流入する。
第２熱媒流入配管２３は、第１熱媒吐出配管１５のいずれかの位置から分岐されており、第１熱媒吐出配管１５のいずれかの位置と、第２暖房放熱体２４の流入口と、に接続され、第１熱媒吐出配管１５からの暖房熱媒が流入された場合、当該暖房熱媒を第２暖房放熱体２４に流入する。
第２熱媒吐出配管２５は、第２暖房放熱体２４の吐出口と、熱媒混合手段４６の流入口と、に接続され、第２暖房放熱体２４から吐出された暖房熱媒を熱媒混合手段４６に流入する。
暖房放熱後配管３６は、熱媒混合手段４６の吐出口と、熱源機３０の流入口と、に接続され、熱媒混合手段４６から吐出された暖房熱媒を熱源機３０に流入する。
熱媒混合手段４６は、複数の経路から流入された暖房熱媒を混合して吐出する混合ヘッダであり、第１熱媒吐出配管１５と、第２熱媒吐出配管２５と、暖房放熱後配管３６と、が接続されている。そして熱媒混合手段４６は、第１熱媒吐出配管１５から流入した暖房熱媒、または第２熱媒吐出配管２５から流入した暖房熱媒、を（混合して）暖房放熱後配管３６に吐出する。
【００３４】
流路切替弁１６は、第１熱媒吐出配管１５と第２熱媒流入配管２３とが接続されている個所に設けられており、第１熱媒吐出配管１５から流入された暖房熱媒を、第２熱媒流入配管２３へ向けて吐出するように、あるいは第１熱媒吐出配管１５から流入された暖房熱媒を熱媒混合手段４６に向けて吐出するように、切り替え可能である。なお、流路切替弁１６は、流路切替設定手段２１からの制御信号に基づいて制御される。
流路切替設定手段２１は、第１部屋１０または第２部屋２０の少なくとも一方に設けられており、利用者からの操作に応じて、制御信号線２１Ａを介して流路切替弁１６を制御する。なお流路切替設定手段２１は、例えば単純な切り替えスイッチであり、利用者からの操作によって、流路切替弁１６を、第１熱媒吐出配管１５から流入された暖房熱媒を第２熱媒流入配管２３へ向けて吐出する側、あるいは第１熱媒吐出配管１５から流入された暖房熱媒を熱媒混合手段４６に向けて吐出する側、のいずれかに切り替える。
【００３５】
なお、熱源機制御手段３１を含む熱源機３０、運転状態設定手段１１、第１暖房放熱体１４、第１熱媒流入配管１３、開閉弁１２、第１熱媒循環ポンプ４１等については、図１に示した暖房システム１００中におけるそれぞれと同じであるので、説明を省略する。
また、図２中の運転状態設定手段１１は、図１中の運転状態設定手段１１と同じであるので、第１暖房放熱体１４の暖房運転の開始の指示と、第１暖房放熱体１４の暖房レベルの設定を入力することは可能であるが、第２暖房放熱体２４の暖房開始の指示と第２暖房放熱体２４の暖房レベルの設定はできない。
また図２中の熱源機制御手段３１は、図１中の熱源機制御手段３１と同じであるので、運転状態設定手段１１から受信した通信情報に基づいて、燃焼加熱手段３２と第１熱媒循環ポンプ４１と開閉弁１２とを制御するが、流路切替弁１６を制御することはできない。
なお、暖房配管経路は、第１熱媒流入配管１３、第１熱媒吐出配管１５、第２熱媒流入配管２３、第２熱媒吐出配管２５、暖房放熱後配管３６、熱媒混合手段４６、にて構成されている。
【００３６】
以上の構成により、利用者は、第１暖房放熱体１４のみの暖房運転、あるいは熱源機３０に対して第１暖房放熱体１４と第２暖房放熱体２４を直列に接続した暖房運転、のいずれかの暖房運転を、下記のように行うことができる。
利用者が第１暖房放熱体１４のみの暖房運転を所望する場合は、以下のように暖房指示を入力する。
利用者は、運転状態設定手段１１を操作して、第１暖房放熱体１４の暖房開始の指示と、第１暖房放熱体１４の暖房レベルと、を入力する。そして利用者は、流路切替設定手段２１を操作して、流路切替弁１６を、第１熱媒吐出配管１５から流入された暖房熱媒を熱媒混合手段４６に向けて吐出する側へと設定する。
すると熱源機制御手段３１は、運転状態設定手段１１から通信情報を受信し、第１暖房放熱体１４の暖房開始の指示と、第１暖房放熱体１４の暖房レベルと、を認識し、燃焼加熱手段３２を制御して暖房熱媒を加熱し、第１熱媒循環ポンプ４１を制御して暖房熱媒を循環させ、開閉弁１２を開状態に制御する。このとき、流路切替弁１６は、第１熱媒吐出配管１５から流入された暖房熱媒を熱媒混合手段４６に向けて吐出する側へと設定されているので、第２暖房放熱体２４には暖房熱媒が流通されない。
【００３７】
また、利用者が第１暖房放熱体１４と第２暖房放熱体の双方の暖房運転を所望する場合は、以下のように暖房指示を入力する。
利用者は、運転状態設定手段１１を操作して、第１暖房放熱体１４の暖房開始の指示と、第１暖房放熱体１４の暖房レベルと、を入力する。そして利用者は、流路切替設定手段２１を操作して、流路切替弁１６を、第１熱媒吐出配管１５から流入された暖房熱媒を第２熱媒流入配管２３に向けて吐出する側へと設定する。
すると熱源機制御手段３１は、運転状態設定手段１１から通信情報を受信し、第１暖房放熱体１４の暖房開始の指示と、第１暖房放熱体１４の暖房レベルと、を認識し、燃焼加熱手段３２を制御して暖房熱媒を加熱し、第１熱媒循環ポンプ４１を制御して暖房熱媒を循環させ、開閉弁１２を開状態に制御する。このとき、流路切替弁１６は、第１熱媒吐出配管１５から流入された暖房熱媒を第２熱媒流入配管２３に向けて吐出する側へと設定されているので、第２暖房放熱体２４には第１熱媒吐出配管１５からの暖房熱媒が流通される。
このように流路切替設定手段２１は、利用者から流路切替弁１６の切り替え状態を設定可能である。
【００３８】
以上に説明したように、図１の例に示した暖房システム１００に対して、熱源機制御手段３１と運転状態設定手段１１を変更することなく（熱源機３０も変更することなく）、よりシンプルな構成で、第２部屋２０を暖房する第２暖房放熱体２４を追加することが可能であり、且つ流路切替設定手段２１は、単純な切り替えスイッチでよいので、非常に短期間で、且つ非常に低コストで暖房システム１Ａを実現することができる。
そして、第１暖房放熱体１４と第２暖房放熱体２４の双方を暖房運転する場合は、熱源機３０に対して第１暖房放熱体１４と第２暖房放熱体２４を直列に接続するので、放熱後に熱源機３０に戻る際の暖房熱媒の温度がより低くなり、熱源機３０の暖房運転効率をより向上させることができる。
【００３９】
●［第２の実施の形態の暖房システム１Ｂ（図３）］
次に図３を用いて、第２の実施の形態の暖房システム１Ｂについて説明する。図３に示す第２の実施の形態の暖房システム１Ｂは、図２に示す第１の実施の形態の暖房システム１Ａに対して、第１温度検出手段４８Ａと流路切替制御手段５０が追加されている点が異なる。以下、この相違点について主に説明する。
【００４０】
第１温度検出手段４８Ａは、第１熱媒吐出配管１５における第１暖房放熱体１４と流路切替弁１６との間のいずれかの位置に設けられており、当該位置における暖房熱媒の温度に応じた検出信号を流路切替制御手段５０に出力する。
流路切替制御手段５０（例えば流路切替制御装置）は、制御信号線２１ＡＡを介して流路切替設定手段２１からの制御信号が入力され、第１温度検出手段４８Ａからの検出信号が入力され、制御信号線２１ＡＢを介して流路切替弁１６への制御信号を出力する。
このように、流路切替設定手段２１から流路切替弁１６を制御する経路中には、流路切替設定手段２１からの制御信号が入力されて流路切替弁１６への制御信号を出力する流路切替制御手段５０が設けられている。
【００４１】
流路切替制御手段５０は、流路切替設定手段２１からの制御信号が、第１熱媒吐出配管１５から流入された暖房熱媒を熱媒混合手段４６に向けて吐出する側へと制御する信号である場合は、流路切替弁１６を、第１熱媒吐出配管１５から流入された暖房熱媒を熱媒混合手段４６に向けて吐出する側へと制御する。
また流路切替制御手段５０は、流路切替設定手段２１からの制御信号が、第１熱媒吐出配管１５から流入された暖房熱媒を第２熱媒流入配管２３に向けて吐出する側へと制御する信号である場合は、第１温度検出手段４８Ａを用いて検出した暖房熱媒の温度に応じて、流路切替弁１６の切り替え状態を変更する。例えば、暖房熱媒の温度が第１所定温度以上である場合は、第２暖房放熱体２４にて充分な暖房を行うことができると判断して、流路切替弁１６を第１熱媒吐出配管１５から流入された暖房熱媒を第２熱媒流入配管２３に向けて吐出する側へと制御する。また暖房熱媒の温度が第１所定温度未満である場合は、第２暖房放熱体２４にて充分な暖房を行うことができないと判断して、流路切替弁１６を第１熱媒吐出配管１５から流入された暖房熱媒を熱媒混合手段４６に向けて吐出する側へと制御する。
【００４２】
このように、流路切替制御手段５０は、流路切替設定手段２１からの制御信号と、第１温度検出手段４８Ａにて検出された暖房熱媒の温度と、に基づいて流路切替弁１６を制御する。
また、第１温度検出手段４８Ａからの検出信号と流路切替設定手段２１からの制御信号を流路切替制御手段５０に取り込み、流路切替制御手段５０から流路切替弁１６を制御しているので、図２に示す暖房システム１Ａに対して（すなわち、図１に示す暖房システム１００に対して）熱源機制御手段３１を変更する必要は無く（熱源機３０も変更する必要は無い）、運転状態設定手段１１を変更する必要も無い。
【００４３】
●［第３の実施の形態の暖房システム１Ｃ（図４）］
次に図４を用いて、第３の実施の形態の暖房システム１Ｃについて説明する。図４に示す第３の実施の形態の暖房システム１Ｃは、図３に示す第２の実施の形態の暖房システム１Ｂに対して、第１温度検出手段４８Ａの代わりに第２温度検出手段４８Ｂが設けられている点と、流路切替制御手段５０の代わりに流路切替制御手段５１が設けられている点が異なる。以下、この相違点について主に説明する。
【００４４】
第２温度検出手段４８Ｂは、第１熱媒流入配管１３における開閉弁１２から第１暖房放熱体１４に至るいずれかの位置に設けられており、当該位置における暖房熱媒の温度に応じた検出信号を流路切替制御手段５１に出力する。
流路切替制御手段５１（例えば流路切替制御装置）は、制御信号線２１ＡＡを介して流路切替設定手段２１からの制御信号が入力され、第２温度検出手段４８Ｂからの検出信号が入力され、制御信号線２１ＡＢを介して流路切替弁１６への制御信号を出力する。
このように、流路切替設定手段２１から流路切替弁１６を制御する経路中には、流路切替設定手段２１からの制御信号が入力されて流路切替弁１６への制御信号を出力する流路切替制御手段５１が設けられている。
【００４５】
流路切替制御手段５１は、流路切替設定手段２１からの制御信号が、第１熱媒吐出配管１５から流入された暖房熱媒を熱媒混合手段４６に向けて吐出する側へと制御する信号である場合は、流路切替弁１６を、第１熱媒吐出配管１５から流入された暖房熱媒を熱媒混合手段４６に向けて吐出する側へと制御する。
また流路切替制御手段５１は、流路切替設定手段２１からの制御信号が、第１熱媒吐出配管１５から流入された暖房熱媒を第２熱媒流入配管２３に向けて吐出する側へと制御する信号である場合は、第２温度検出手段４８Ｂを用いて検出した暖房熱媒の温度に応じて、流路切替弁１６の切り替え状態を変更する。例えば、暖房熱媒の温度が第２所定温度以上（第４の実施の形態の第１所定温度よりも高い温度）である場合は、第１暖房放熱体１４及び第２暖房放熱体２４にて充分な暖房を行うことができると判断して、流路切替弁１６を第１熱媒吐出配管１５から流入された暖房熱媒を第２熱媒流入配管２３に向けて吐出する側へと制御する。また暖房熱媒の温度が第２所定温度未満である場合は、第２暖房放熱体２４にて充分な暖房を行うことができないと判断して、流路切替弁１６を第１熱媒吐出配管１５から流入された暖房熱媒を熱媒混合手段４６に向けて吐出する側へと制御する。
【００４６】
このように、流路切替制御手段５１は、流路切替設定手段２１からの制御信号と、第２温度検出手段４８Ｂにて検出された暖房熱媒の温度と、に基づいて流路切替弁１６を制御する。
また、第２温度検出手段４８Ｂからの検出信号と流路切替設定手段２１からの制御信号を流路切替制御手段５１に取り込み、流路切替制御手段５１から流路切替弁１６を制御しているので、図３に示す暖房システム１Ｂに対して（すなわち、図１に示す暖房システム１００に対して）熱源機制御手段３１を変更する必要は無く（熱源機３０も変更する必要は無い）、運転状態設定手段１１を変更する必要も無い。
【００４７】
●［第４の実施の形態の暖房システム１Ｄ（図５）］
次に図５を用いて、第４の実施の形態の暖房システム１Ｄについて説明する。図５に示す第４の実施の形態の暖房システム１Ｄは、図３に示す第２の実施の形態の暖房システム１Ｂに対して、第１温度検出手段４８Ａの代わりに第３温度検出手段４８Ｃが設けられている点と、流路切替制御手段５０の代わりに流路切替制御手段５２が設けられている点が異なる。以下、この相違点について主に説明する。
【００４８】
第３温度検出手段４８Ｃは、外気の温度を検出可能な位置に設けられており、例えば熱源機３０の外部の任意の位置や、熱源機３０の内部の任意の位置に設けられており、当該位置における外気の温度に応じた検出信号を流路切替制御手段５２に出力する。
流路切替制御手段５２（例えば流路切替制御装置）は、制御信号線２１ＡＡを介して流路切替設定手段２１からの制御信号が入力され、第３温度検出手段４８Ｃからの検出信号が入力され、制御信号線２１ＡＢを介して流路切替弁１６への制御信号を出力する。
このように、流路切替設定手段２１から流路切替弁１６を制御する経路中には、流路切替設定手段２１からの制御信号が入力されて流路切替弁１６への制御信号を出力する流路切替制御手段５２が設けられている。
【００４９】
流路切替制御手段５２は、流路切替設定手段２１からの制御信号が、第１熱媒吐出配管１５から流入された暖房熱媒を熱媒混合手段４６に向けて吐出する側へと制御する信号である場合は、第３温度検出手段４８Ｃを用いて検出した外気の温度に応じて、流路切替弁１６の切り替え状態を変更する。例えば、外気の温度が第３所定温度以下である場合は、流路切替弁１６から第２熱媒流入配管２３、第２暖房放熱体２４、第２熱媒吐出配管２５の経路の凍結を防止するために、流路切替弁１６を第１熱媒吐出配管１５から流入された暖房熱媒を第２熱媒流入配管２３に向けて吐出する側へと制御する。なお、この凍結防止の制御を第１所定時間毎に、第２所定時間（第１所定時間＞第２所定時間）の間だけ行う（間欠的に行う）ようにしてもよい。また外気の温度が第３所定温度より高い場合は、凍結防止の制御を行う必要がないと判断して、流路切替弁１６を、第１熱媒吐出配管１５から流入された暖房熱媒を熱媒混合手段４６に向けて吐出する側へと制御する。
また流路切替制御手段５２は、流路切替設定手段２１からの制御信号が、第１熱媒吐出配管１５から流入された暖房熱媒を第２熱媒流入配管２３に向けて吐出する側へと制御する信号である場合は、流路切替弁１６を第１熱媒吐出配管１５から流入された暖房熱媒を第２熱媒流入配管２３に向けて吐出する側へと制御する。
【００５０】
このように、流路切替制御手段５２は、流路切替設定手段２１からの制御信号と、第３温度検出手段４８Ｃにて検出された外気の温度と、に基づいて流路切替弁１６を制御する。
また、第３温度検出手段４８Ｃからの検出信号と流路切替設定手段２１からの制御信号を流路切替制御手段５２に取り込み、流路切替制御手段５２から流路切替弁１６を制御しているので、図３に示す暖房システム１Ｂに対して（すなわち、図１に示す暖房システム１００に対して）熱源機制御手段３１を変更する必要は無く（熱源機３０も変更する必要は無い）、運転状態設定手段１１を変更する必要も無い。
【００５１】
●［第５の実施の形態の暖房システム１Ｅ（図６）］
次に図６を用いて、第５の実施の形態の暖房システム１Ｅについて説明する。図６に示す第５の実施の形態の暖房システム１Ｅは、図２に示す第１の実施の形態の暖房システム１Ａに対して、熱源機制御手段３１と運転状態設定手段１１との間の通信情報の送受信を中継する流路切替制御手段５３が設けられている点が異なる。以下、この相違点について主に説明する。
【００５２】
流路切替制御手段５３（例えば流路切替制御装置）は、制御信号線２１ＡＡを介して流路切替設定手段２１からの制御信号が入力され、制御信号線２１ＡＢを介して流路切替弁１６への制御信号を出力する。また流路切替制御手段５３は、熱源機制御手段３１と無線あるいは有線（通信線Ｔ１Ｂ）にて接続され、運転状態設定手段１１と無線あるいは有線（通信線Ｔ１Ａ）にて接続され、熱源機制御手段３１と運転状態設定手段１１との間の通信情報の送受信を中継する。
このように、流路切替設定手段２１から流路切替弁１６を制御する経路中には、流路切替設定手段２１からの制御信号が入力されて流路切替弁１６への制御信号を出力する流路切替制御手段５３が設けられている。
【００５３】
流路切替制御手段５３は、中継した通信情報に基づいて、第１暖房放熱体１４の暖房運転の開始の指示や、現在において第１暖房放熱体１４の暖房運転がされているか、等を認識することができる。
現在において第１暖房放熱体１４の暖房運転が行われていない、と認識した場合は、流路切替設定手段２１からの制御信号にかかわらず、流路切替弁１６の制御を行う必要が無い。第１暖房放熱体１４の暖房運転が行われていない場合は、流路切替弁１６をどのように制御しても関係無いので、流路切替制御手段５３は、流路切替弁１６をデフォルト状態にする（例えば、第１熱媒吐出配管１５から流入された暖房熱媒を熱媒混合手段４６に向けて吐出する側へと制御する。）。
また流路切替制御手段５３は、現在において第１暖房放熱体１４の暖房運転が行われている、と認識した場合は、流路切替設定手段２１からの制御信号に応じて流路切替弁１６を制御する。この場合、流路切替制御手段５３は、流路切替設定手段２１からの制御信号が、第１熱媒吐出配管１５から流入された暖房熱媒を熱媒混合手段４６に向けて吐出する側へと制御する信号である場合は、流路切替弁１６を、第１熱媒吐出配管１５から流入された暖房熱媒を熱媒混合手段４６に向けて吐出する側へと制御する。また流路切替制御手段５３は、流路切替設定手段２１からの制御信号が、第１熱媒吐出配管１５から流入された暖房熱媒を第２熱媒流入配管２３に向けて吐出する側へと制御する信号である場合は、流路切替弁１６を、第１熱媒吐出配管１５から流入された暖房熱媒を第２熱媒流入配管２３に向けて吐出する側へと制御する。
【００５４】
このように、流路切替制御手段５３は、流路切替設定手段２１からの制御信号と、中継した通信情報と、に基づいて流路切替弁１６を制御する。
また、流路切替制御手段５３は、熱源機制御手段３１と運転状態設定手段１１との間の通信情報の送受信を中継し、流路切替設定手段２１からの制御信号を取り込み、流路切替制御手段５３から流路切替弁１６を制御しているので、図２に示す暖房システム１Ａに対して（すなわち、図１に示す暖房システム１００に対して）熱源機制御手段３１を変更する必要は無く（熱源機３０も変更する必要は無い）、運転状態設定手段１１を変更する必要も無い。
【００５５】
●［第６の実施の形態の暖房システム１Ｆ（図７）］
次に図７を用いて、第６の実施の形態の暖房システム１Ｆについて説明する。図７に示す第６の実施の形態の暖房システム１Ｆは、図６に示す第５の実施の形態の暖房システム１Ｅに対して、熱源機３０内に外気温度を検出する第３温度検出手段４８Ｃ´が設けられている点と、流路切替制御手段５３の代わりに流路切替制御手段５４が設けられている点が異なる。なお、通常の熱源機は、熱源機内において外気温度を検出する温度検出手段を有しているので、特に第３温度検出手段４８Ｃ´を追加する必要はなく、既存のものを利用すればよい。従って、熱源機制御手段３１を変更する必要は無い（熱源機３０を変更する必要は無い）。
以下、第５の実施の形態の暖房システム１Ｅとの相違点について主に説明する。
【００５６】
（既存の）熱源機３０には、予め第３温度検出手段４８Ｃ´が設けられており、（既存の）熱源機制御手段３１は、第３温度検出手段４８Ｃ´を用いて外気の温度を検出することができる。
そして熱源機制御手段３１は、第３温度検出手段４８Ｃ´を用いて検出した外気の温度が第３所定温度以下の場合であって第１暖房放熱体１４の暖房を実行していない場合、凍結防止の制御を行う。この凍結防止の制御は、既存の熱源機制御手段に予め用意されている制御である。
【００５７】
流路切替制御手段５４（例えば流路切替制御装置）は、制御信号線２１ＡＡを介して流路切替設定手段２１からの制御信号が入力され、制御信号線２１ＡＢを介して流路切替弁１６への制御信号を出力する。また流路切替制御手段５４は、熱源機制御手段３１と無線あるいは有線（通信線Ｔ１Ｂ）にて接続され、運転状態設定手段１１と無線あるいは有線（通信線Ｔ１Ａ）にて接続され、熱源機制御手段３１と運転状態設定手段１１との間の通信情報の送受信を中継する。
このように、流路切替設定手段２１から流路切替弁１６を制御する経路中には、流路切替設定手段２１からの制御信号が入力されて流路切替弁１６への制御信号を出力する流路切替制御手段５４が設けられている。
【００５８】
流路切替制御手段５４は、中継した通信情報に基づいて、第１暖房放熱体１４の暖房運転の開始の指示や、現在において第１暖房放熱体１４の暖房運転がされているか、現在において熱源機制御手段３１が凍結防止の制御を行っているか等を認識することができる。
そして流路切替制御手段５４は、第５の実施の形態と同様の制御を行うことに加えて、現在において熱源機制御手段３１が凍結防止の制御を行っていると認識した場合は、流路切替設定手段２１からの制御信号にかかわらず、例えば、流路切替制御手段５４は、流路切替弁１６を、第３所定時間毎に、第１熱媒吐出配管１５から流入された暖房熱媒を熱媒混合手段４６に向けて吐出する側と、第１熱媒吐出配管１５から流入された暖房熱媒を第２熱媒流入配管２３に向けて吐出する側と、を交互に切り替えるように制御する。
【００５９】
このように、流路切替制御手段５４は、流路切替設定手段２１からの制御信号と、中継した通信情報と、に基づいて流路切替弁１６を制御する。
また、流路切替制御手段５４は、熱源機制御手段３１と運転状態設定手段１１との通信情報の送受信を中継し、流路切替設定手段２１からの制御信号を取り込み、流路切替制御手段５４から流路切替弁１６を制御しているので、図６に示す暖房システム１Ｅに対して（すなわち、図１に示す暖房システム１００に対して）熱源機制御手段３１を変更する必要は無く（熱源機３０も変更する必要は無い）、運転状態設定手段１１を変更する必要も無い。
なお、熱源機３０に予め第３温度検出手段４８Ｃ´が設けられていない場合は、図５に示す第４の実施の形態の暖房システム１Ｄのように、第３温度検出手段４８Ｃを追加して、流路切替制御手段５４にて外気の温度を検出するようにすればよい。そして流路切替制御手段５４は、検出した外気温度に基づいて、上記のような凍結防止の制御を行う。
【００６０】
●［第７の実施の形態の暖房システム１Ｇ（図８）］
次に図８を用いて、第７の実施の形態の暖房システム１Ｇについて説明する。図８に示す第７の実施の形態の暖房システム１Ｇは、図２に示す第１の実施の形態の暖房システム１Ａに対して、第２熱媒循環ポンプ４２と流路切替制御手段５５が追加されている点が異なる。以下、この相違点について主に説明する。
【００６１】
第２熱媒循環ポンプ４２は、第１熱媒流入配管１３あるいは暖房放熱後配管３６のいずれかの位置に設けられている。
また流路切替制御手段５５は、流路切替設定手段２１から流路切替弁１６を制御する経路中に設けられている。
そして流路切替制御手段５５には、制御信号線２１ＡＡを介して流路切替設定手段２１からの制御信号が入力され、信号線２１ＡＣを介して開閉弁１２の動作状態を検出可能な開閉弁信号が入力される。
また流路切替制御手段５５は、制御信号線２１ＡＢを介して流路切替弁１６に制御信号を出力し、制御信号線２１ＡＤを介して第２熱媒循環ポンプ４２に制御信号を出力する。
また第２熱媒循環ポンプ４２は、流路切替制御手段５５からの制御信号に基づいて駆動され、第１熱媒循環ポンプ４１による暖房熱媒の循環を補うように駆動される。
【００６２】
例えば、流路切替制御手段５５は、流路切替弁１６が第１熱媒吐出配管１５から流入された暖房熱媒を第２熱媒流入配管２３に向けて吐出する側へと設定された場合（流路切替設定手段２１からの制御信号（制御信号線２１ＡＡからの信号）で判断）、かつ開閉弁１２が開状態である場合（開閉弁信号（信号線２１ＡＣからの信号）で判断）に、第２熱媒循環ポンプ４２を駆動する。なお、開閉弁１２が閉状態の場合、あるいは流路切替弁１６が第１熱媒吐出配管１５から流入された暖房熱媒を熱媒混合手段４６に向けて吐出する側へと設定された場合、流路切替制御手段５５は第２熱媒循環ポンプ４２を停止する。
また流路切替制御手段５５は、流路切替弁１６が第１熱媒吐出配管１５から流入された暖房熱媒を第２熱媒流入配管２３に向けて吐出する側へと設定された場合（流路切替設定手段２１からの制御信号（制御信号線２１ＡＡからの信号）で判断）、流路切替弁１６を、第１熱媒吐出配管１５から流入された暖房熱媒を第２熱媒流入配管２３に向けて吐出する側へと切替える。また流路切替制御手段５５は、流路切替弁１６が第１熱媒吐出配管１５から流入された暖房熱媒を熱媒混合手段４６に向けて吐出する側へと設定された場合（流路切替設定手段２１からの制御信号（制御信号線２１ＡＡからの信号）で判断）、流路切替弁１６を第１熱媒吐出配管１５から流入された暖房熱媒を熱媒混合手段４６に向けて吐出する側へと切替える。
【００６３】
このように、第２熱媒循環ポンプ４２を追加することで、第１熱媒循環ポンプ４１を交換することなく第１熱媒循環ポンプ４１の能力を補うことができる。
なお、第２熱媒循環ポンプ４２を、熱源機制御手段３１から制御することなく流路切替制御手段５５から制御しているので、図２に示す暖房システム１Ａに対して（すなわち、図１に示す暖房システム１００に対して）熱源機制御手段３１を変更する必要は無く（熱源機３０も変更する必要は無い）、運転状態設定手段１１を変更する必要も無い。
【００６４】
●［第８の実施の形態の暖房システム１Ｈ（図９）］
次に図９を用いて、第８の実施の形態の暖房システム１Ｈについて説明する。図９に示す第８の実施の形態の暖房システム１Ｈは、図２に示す第１の実施の形態の暖房システム１Ａに対して、熱媒バイパス配管６１と第３熱媒循環ポンプ４３と流路切替制御手段５５が追加されている点が異なる。以下、この相違点について主に説明する。
【００６５】
熱媒バイパス配管６１は、暖房放熱後配管３６のいずれかの位置と、第１熱媒流入配管１３における熱源機３０から開閉弁１２に至るいずれかの位置と、に接続されている。
第３熱媒循環ポンプ４３は、熱媒バイパス配管６１のいずれかの位置に設けられている。
また流路切替制御手段５５は、第７の実施の形態（図８）の流路切替制御手段５５と同じであり、流路切替設定手段２１から流路切替弁１６を制御する経路中に設けられている。
そして流路切替制御手段５５には、制御信号線２１ＡＡを介して流路切替設定手段２１からの制御信号が入力され、信号線２１ＡＣを介して開閉弁１２の動作状態を検出可能な開閉弁信号が入力される。
また流路切替制御手段５５は、制御信号線２１ＡＢを介して流路切替弁１６に制御信号を出力し、制御信号線２１ＡＤを介して第３熱媒循環ポンプ４３に制御信号を出力する。
そして第３熱媒循環ポンプ４３は、流路切替制御手段５５からの制御信号に基づいて、第１熱媒循環ポンプ４１による暖房熱媒の循環を補うように駆動され、駆動された場合は、暖房放熱後配管３６からの暖房熱媒の少なくとも一部を第１熱媒流入配管１３に導くことが可能である。なお、第３熱媒循環ポンプ４３が停止している場合、暖房熱媒は熱媒バイパス配管６１に流入することはない。
【００６６】
例えば、流路切替制御手段５５は、流路切替弁１６が第１熱媒吐出配管１５から流入された暖房熱媒を第２熱媒流入配管２３に向けて吐出する側へと設定された場合（流路切替設定手段２１からの制御信号（制御信号線２１ＡＡからの信号）で判断）、かつ開閉弁１２が開状態である場合（開閉弁信号（信号線２１ＡＣからの信号）で判断）に、第３熱媒循環ポンプ４３を駆動する。なお、開閉弁１２が閉状態の場合、あるいは流路切替弁１６が第１熱媒吐出配管１５から流入された暖房熱媒を熱媒混合手段４６に向けて吐出する側へと設定された場合、流路切替制御手段５５は第３熱媒循環ポンプ４３を停止する。
また流路切替制御手段５５は、流路切替弁１６が第１熱媒吐出配管１５から流入された暖房熱媒を第２熱媒流入配管２３に向けて吐出する側へと設定された場合（流路切替設定手段２１からの制御信号（制御信号線２１ＡＡからの信号）で判断）、流路切替弁１６を、第１熱媒吐出配管１５から流入された暖房熱媒を第２熱媒流入配管２３に向けて吐出する側へと切替える。また流路切替制御手段５５は、流路切替弁１６が第１熱媒吐出配管１５から流入された暖房熱媒を熱媒混合手段４６に向けて吐出する側へと設定された場合（流路切替設定手段２１からの制御信号（制御信号線２１ＡＡからの信号）で判断）、流路切替弁１６を第１熱媒吐出配管１５から流入された暖房熱媒を熱媒混合手段４６に向けて吐出する側へと切替える。
【００６７】
このように、第３熱媒循環ポンプ４３を追加することで、第１熱媒循環ポンプ４１を交換することなく第１熱媒循環ポンプ４１の能力を補うことができる。
なお、第３熱媒循環ポンプ４３を、熱源機制御手段３１から制御することなく流路切替設定手段２１から制御しているので、図２に示す暖房システム１Ａに対して（すなわち、図１に示す暖房システム１００に対して）熱源機制御手段３１を変更する必要は無く（熱源機３０も変更する必要は無い）、運転状態設定手段１１を変更する必要も無い。
【００６８】
●［第９の実施の形態の暖房システム１Ｊ（図１０）］
次に図１０を用いて、第９の実施の形態の暖房システム１Ｊについて説明する。図１０に示す第９の実施の形態の暖房システム１Ｊは、図３に示す第２の実施の形態の暖房システム１Ｂに対して、図８に示す第７の実施の形態の第２熱媒循環ポンプ４２が追加され、流路切替制御手段５０が流路切替制御手段５６に変更され、図７に示す第６の実施の形態の第３温度検出手段４８Ｃ´が追加されている点が異なる。
このように、各実施の形態をいくつか組み合わせた暖房システムを構築することも可能であり、組み合わせに使用した暖房システムの特徴を有している。
以下、この相違点について主に説明する。
【００６９】
第２熱媒循環ポンプ４２は、第７の実施の形態（図８）と同様、第１熱媒流入配管１３あるいは暖房放熱後配管３６のいずれかの位置に設けられている。
流路切替制御手段５０に対して流路切替制御手段５６には、第７の実施の形態（図８）と同様、信号線２１ＡＣを介して開閉弁１２の動作状態を検出可能な開閉弁信号の入力と、制御信号線２１ＡＤを介して第２熱媒循環ポンプ４２への出力が追加されている。
そして流路切替制御手段５６は、流路切替弁１６が第１熱媒吐出配管１５から流入された暖房熱媒を第２熱媒流入配管２３に向けて吐出する側へと設定された場合（流路切替設定手段２１からの制御信号（制御信号線２１ＡＡからの信号）で判断）、かつ開閉弁１２が開状態である場合（開閉弁信号（信号線２１ＡＣからの信号）で判断）に、第２熱媒循環ポンプ４２を駆動する。なお、開閉弁１２が閉状態の場合、あるいは流路切替弁１６が第１熱媒吐出配管１５から流入された暖房熱媒を熱媒混合手段４６に向けて吐出する側へと設定された場合、流路切替制御手段５６は第２熱媒循環ポンプ４２を停止する。
【００７０】
なお、図５に示した第４の実施の形態の暖房システム１Ｄにて用いた第３温度検出手段４８Ｃを追加して、第４の実施の形態の説明と同様に、凍結防止の制御を行うこともできる。
なお、第２熱媒循環ポンプ４２の代わりに、熱媒バイパス配管６１と第３熱媒循環ポンプ４３を設け、流路切替制御手段５６から第３熱媒循環ポンプ４３を制御するようにしてもよいが、説明は既に第８の実施の形態（図９）にて行っているので省略する。
また、第１温度検出手段４８Ａの代わりに、第２温度検出手段４８Ｂを設けてもよい。この場合の説明も、既に第３の実施の形態（図４）にて行っているので省略する。
また、第３温度検出手段４８Ｃ´については、第６の実施の形態（図７）にて説明したとおりであるので、説明は省略する。
【００７１】
●［第１０の実施の形態の暖房システム１Ｋ（図１１）］
次に図１１を用いて、第１０の実施の形態の暖房システム１Ｋについて説明する。図１１に示す第１０の実施の形態の暖房システム１Ｋは、図７に示す第６の実施の形態の暖房システム１Ｆに対して、図８に示す第７の実施の形態の第２熱媒循環ポンプ４２が追加され、図３に示す第２の実施の形態の第１温度検出手段４８Ａが追加され、流路切替制御手段５４の代わりに流路切替制御手段５７が設けられている点が異なる。
このように、各実施の形態をいくつか組み合わせた暖房システムを構築することも可能であり、組み合わせに使用した暖房システムの特徴を有している。
以下、第６の実施の形態の暖房システム１Ｆからの相違点について主に説明する。
【００７２】
第１温度検出手段４８Ａは、第２の実施の形態にて説明した位置に設けられており、検出信号を流路切替制御手段５７に入力する。
第２熱媒循環ポンプ４２は、第７の実施の形態にて説明した位置に設けられており、流路切替制御手段５７からの制御信号にて駆動される。
流路切替制御手段５７（例えば流路切替制御装置）は、制御信号線２１ＡＡを介して流路切替設定手段２１からの制御信号が入力され、制御信号線２１ＡＢを介して流路切替弁１６への制御信号を出力し、制御信号線２１ＡＤを介して第２熱媒循環ポンプ４２への制御信号を出力する。また流路切替制御手段５７は、熱源機制御手段３１と無線あるいは有線（通信線Ｔ１Ｂ）にて接続され、運転状態設定手段１１と無線あるいは有線（通信線Ｔ１Ａ）にて接続され、熱源機制御手段３１と運転状態設定手段１１との間の通信情報の送受信を中継する。
このように、流路切替設定手段２１から流路切替弁１６を制御する経路中には、流路切替設定手段２１からの制御信号が入力されて流路切替弁１６への制御信号を出力する流路切替制御手段５７が設けられている。
また流路切替制御手段５７は、第１温度検出手段４８Ａからの検出信号が入力されており、第１温度検出手段４８Ａが設けられている位置の暖房熱媒の温度を検出することができる。
【００７３】
流路切替制御手段５７は、中継した通信情報に基づいて、現在において熱源機制御手段３１が第１暖房放熱体１４の暖房運転を行っていない、と認識した場合は、流路切替設定手段２１からの制御信号にかかわらず、流路切替弁１６の制御を行う必要が無いので、例えば流路切替弁１６をデフォルト状態に制御する（第５の実施の形態の説明を参照）。
また流路切替制御手段５７は、中継した通信情報に基づいて、現在において熱源機制御手段３１が第１暖房放熱体１４の暖房運転を行っている、と認識した場合、流路切替設定手段２１からの制御信号と、第１温度検出手段４８Ａを用いて検出した暖房熱媒の温度と、に応じて流路切替弁１６と第２熱媒循環ポンプ４２を制御する。
【００７４】
流路切替制御手段５７は、現在において熱源機制御手段３１が第１暖房放熱体１４の暖房運転を行っている、と認識した場合、例えば以下のように流路切替弁１６と第２熱媒循環ポンプ４２とを制御する。
流路切替制御手段５７は、流路切替設定手段２１からの制御信号が、第１熱媒吐出配管１５から流入された暖房熱媒を熱媒混合手段４６に向けて吐出する側へと制御する信号である場合は、暖房熱媒の温度にかかわらず、流路切替弁１６を、第１熱媒吐出配管１５から流入された暖房熱媒を熱媒混合手段４６に向けて吐出する側へと制御し、第２熱媒循環ポンプ４２を停止する。
流路切替制御手段５７は、流路切替設定手段２１からの制御信号が、第１熱媒吐出配管１５から流入された暖房熱媒を第２熱媒流入配管２３に向けて吐出する側へと制御する信号である場合であって、且つ暖房熱媒の温度が第１所定温度以上である場合は、第２暖房放熱体２４にて充分な暖房を行うことができると判断して、流路切替弁１６を、第１熱媒吐出配管１５から流入された暖房熱媒を第２熱媒流入配管２３に向けて吐出する側へと制御し、第２熱媒循環ポンプ４２を駆動する。なお第２熱媒循環ポンプ４２を駆動する場合、流路切替制御手段５７は、中継した通信情報に基づいて、熱源機制御手段３１が第１暖房放熱体１４の暖房運転を行っている、あるいは開閉弁１２が開状態である、と認識している場合に駆動する。
流路切替制御手段５７は、流路切替設定手段２１からの制御信号が、第１熱媒吐出配管１５から流入された暖房熱媒を第２熱媒流入配管２３に向けて吐出する側へと制御する信号である場合であって、且つ暖房熱媒の温度が第１所定温度未満である場合は、第２暖房放熱体２４にて充分な暖房を行うことができないと判断して、流路切替弁１６を、第１熱媒吐出配管１５から流入された暖房熱媒を熱媒混合手段４６に向けて吐出する側へと制御し、第２熱媒循環ポンプ４２を停止する。
【００７５】
このように、流路切替制御手段５７は、流路切替設定手段２１からの制御信号と、中継した通信情報と、第１温度検出手段４８Ａを用いて検出した暖房熱媒の温度と、に基づいて流路切替弁１６と第２熱媒循環ポンプ４２を制御する。
また、流路切替制御手段５７は、熱源機制御手段３１と運転状態設定手段１１との通信情報の送受信を中継し、流路切替設定手段２１からの制御信号を取り込み、流路切替制御手段５７から流路切替弁１６を制御しているので、図７に示す暖房システム１Ｆに対して（すなわち、図１に示す暖房システム１００に対して）熱源機制御手段３１を変更する必要は無く（熱源機３０も変更する必要は無い）、運転状態設定手段１１を変更する必要も無い。
なお、図５に示した第４の実施の形態の暖房システム１Ｄにて用いた第３温度検出手段４８Ｃを追加して、第４の実施の形態の説明と同様に、凍結防止の制御を行うこともできる。
なお、第２熱媒循環ポンプ４２の代わりに、熱媒バイパス配管６１と第３熱媒循環ポンプ４３を設け、流路切替制御手段５７から第３熱媒循環ポンプ４３を制御するようにしてもよいが、説明は既に第８の実施の形態（図９）にて行っているので省略する。
また、第１温度検出手段４８Ａの代わりに、第２温度検出手段４８Ｂを設けてもよい。この場合の説明も、既に第３の実施の形態（図４）にて行っているので省略する。
【００７６】
本発明の暖房システムは、本実施の形態で説明した構成、動作等に限定されず、本発明の要旨を変更しない範囲で種々の変更、追加、削除が可能である。
また、いくつかの実施の形態を組み合わせた例として、第９の実施の形態（図１０）や第１０の実施の形態（図１１）を示したが、複数の実施の形態を組み合わせた暖房システムは、第９の実施の形態や第１０の実施の形態に限定されるものではなく、任意の実施の形態を組み合わせた暖房システムを構築することも可能である。
また本実施の形態の説明では、流路切替設定手段２１を、第１部屋１０に設けた例を説明したが、流路切替設定手段２１は、第１部屋１０と第２部屋２０の、少なくとも一方に設けられていればよい。
【符号の説明】
【００７７】
１Ａ〜１Ｈ、１Ｊ、１Ｋ    暖房システム
１０    第１部屋
１１    運転状態設定手段
１２    開閉弁
１３    第１熱媒流入配管
１４    第１暖房放熱体
１５    第１熱媒吐出配管
１６    流路切替弁
２０    第２部屋
２１    流路切替設定手段
２３    第２熱媒流入配管
２４    第２暖房放熱体
２５    第２熱媒吐出配管
３０    熱源機
３１    熱源機制御手段
４１    第１熱媒循環ポンプ
４２    第２熱媒循環ポンプ
４３    第３熱媒循環ポンプ
４６    熱媒混合手段
４８Ａ  第１温度検出手段
４８Ｂ  第２温度検出手段
４８Ｃ、４８Ｃ´    第３温度検出手段
５０〜５７    流路切替制御手段
６１    熱媒バイパス配管
Ｔ１、Ｔ１Ａ、Ｔ１Ｂ    通信線
【図１】
2015083888.tif 000003
【図２】
2015083888.tif 000004
【図３】
2015083888.tif 000005
【図４】
2015083888.tif 000006
【図５】
2015083888.tif 000007
【図６】
2015083888.tif 000008
【図７】
2015083888.tif 000009
【図８】
2015083888.tif 000010
【図９】
2015083888.tif 000011
【図１０】
2015083888.tif 000012
【図１１】
2015083888.tif 000013
【図１２】
2015083888.tif 000014
【図１３】
2015083888.tif 000015